(57)【要約】【課題】  ほこり等の侵入を防止して光通信用プラグ間の伝達の損失を回避できる光通信用レセプタクルを提供する。【解決手段】  光通信用レセプタクル１は、ボディ２の前面に設けたプラグ挿入孔２ａ、ボディ２の後面に設けた光伝送用部品挿入孔、及びボディ２の内部空間とからなる収納部３に、一端にプラグ挿入孔２ａから挿入される光通信用プラグのフェルールが着脱自在に嵌合され、他端に前記光伝送用部品挿入孔から挿入される光伝送用部品のフェルールが取り付けられるスリーブ８を備えるとともに、スリーブ８とレセプタクル１外部とを遮光するカバー４を備え、このカバー４と収納部３の内周面との間の隙間を保護カバー６により被覆している。【選択図】図１
2005221669.tif 000002
【特許請求の範囲】
【請求項１】
前面に光通信用プラグ挿入孔、及び後面に光伝送用部品挿入孔を有する中空のボディと、前記光通信用プラグ挿入孔、前記光伝送用部品挿入孔、及び前記ボディの内部空間をそれぞれ連通して形成された収納部と、前記収納部の前端角部に前記収納部の前後方向に回転自在に支持されて前記収納部を保護するカバーと、前記収納部の前端部の側部に位置して前記カバーを前記収納部の前方向に付勢する板ばねと、前記光通信用プラグ挿入孔より狭口に形成されて光通信用プラグを前記収納部に貫挿する孔部、及び前記収納部の前端部に位置して前記カバーを前記収納部から外部へ突出しないように前記収納部を塞ぐ位置に位置させるカバー止めを有して前記ボディの前面に被着される保護プレートと、前記収納部の後部に配置されて、一端に前記光通信用プラグ挿入孔から前記収納部に挿入される光通信用プラグのフェルールが着脱自在に嵌合され、他端に前記光伝送用部品挿入孔から前記収納部に挿入される光伝送用部品のフェルールが取り付けられるスリーブとを備えていることを特徴とする光通信用レセプタクル。
【請求項２】
請求項１記載の光通信用レセプタクルの製造方法において、光通信用プラグ挿入孔、光伝送用部品挿入孔、及びボディの内部空間をそれぞれ連通して形成された収納部に、前記光通信用プラグ挿入孔から板ばねを挿入して前記収納部の前端部の側部に配置し、次に、カバーを、前記板ばねにより前記収納部の前方向に付勢させながら、前記光通信用プラグ挿入孔から前記収納部に挿入して前記収納部の前端角部に配置し、その後に保護プレートを前記ボディの前面に被着して、前記保護プレートのカバー止めを前記収納部の前端部に位置させ、前記カバー止めにより前記カバーを前記収納部から外部へ突出しないように、前記収納部を塞ぐ位置に位置させることを特徴とする光通信用レセプタクルの製造方法。
【請求項３】
請求項１記載の光通信用レセプタクルの製造方法において、ボディは、前面に保護プレートを一体に備えるとともに、前記ボディの上面前端部に、光通信用プラグ挿入孔、光伝送用部品挿入孔、及びボディの内部空間をそれぞれ連通して形成された収納部に連通する開口部を備えて形成されており、板ばねを前記開口部から前記収納部に挿入して前記収納部の前端部の側部に配置し、カバーを、前記板ばねにより前記収納部の前方向に付勢させながら、前記開口部から前記収納部に挿入して前記収納部の前端角部に配置し、その後に、開口部を閉鎖することを特徴とする光通信用レセプタクルの製造方法。
【発明の詳細な説明】
【技術分野】
【０００１】
本発明は、光ファイバを備えた光通信用プラグを接続する光通信用レセプタクルに関する。
【背景技術】
【０００２】
光ファイバを備えたプラグの相互接続に用いられるスリーブを略中央部に備えたコネクタに、コネクタの開口部とスリーブとの間に板ばねによりコネクタの開口部方向へ付勢された保護フラップを備えているものが提供されている（特許文献１）。
【特許文献１】特開２００２−１５６５５７号公報（第１０図）
【発明の開示】
【発明が解決しようとする課題】
【０００３】
前記保護フラップは、コネクタにプラグが挿入されると、プラグの挿入方向へ倒れこんでプラグをスリーブに挿入可能とするものであり、また、スリーブの一方の側部に前記プラグが接続された際に、他方の側部からコネクタの外部へと、光、特にレーザ光が逃げないように設けられたものである。
【０００４】
しかし、このような保護フラップは、コネクタの外部とスリーブとを遮光することはできるものの、保護フラップとコネクタの内側面との間に隙間が生じているため、コネクタ内部へのほこり等の侵入を防ぐことができず、これにより、コネクタ内部のスリーブにほこり等が侵入してしまうという問題があった。すなわち、このような光通信用のプラグ間の接続は、両プラグに設けたフェルールをスリーブに挿入して互いに位置合わせして、フェルールの端面に露出する光ファイバの端面同士を互いに整合させることにより行なわれるため、スリーブ内にほこり等が入り込むと、ほこり等により光ファイバ間の光の伝達が妨げられてしまい、プラグ間の伝達の損失を引き起こすという問題を生じていた。
【０００５】
本発明は上述の点に鑑みて為されたもので、その目的は、ほこり等の侵入を防止してプラグ間の伝達の損失を回避できる光通信用レセプタクルを提供することである。
【課題を解決するための手段】
【０００６】
上述の課題を解決するために、請求項１の発明では、前面に光通信用プラグ挿入孔、及び後面に光伝送用部品挿入孔を有する中空のボディと、前記光通信用プラグ挿入孔、前記光伝送用部品挿入孔、及び前記ボディの内部空間をそれぞれ連通して形成された収納部と、前記収納部の前端角部に前記収納部の前後方向に回転自在に支持されて前記収納部を保護するカバーと、前記収納部の前端部の側部に位置して前記カバーを前記収納部の前方向に付勢する板ばねと、前記光通信用プラグ挿入孔より狭口に形成されて光通信用プラグを前記収納部に貫挿する孔部、及び前記収納部の前端部に位置して前記カバーを前記収納部から外部へ突出しないように前記収納部を塞ぐ位置に位置させるカバー止めを有して前記ボディの前面に被着される保護プレートと、前記収納部の後部に配置されて、一端に前記光通信用プラグ挿入孔から前記収納部に挿入される光通信用プラグのフェルールが着脱自在に嵌合され、他端に前記光伝送用部品挿入孔から前記収納部に挿入される光伝送用部品のフェルールが取り付けられるスリーブとを備えていることを特徴とする光通信用レセプタクルとした。
【０００７】
請求項１の発明によれば、光通信用プラグがスリーブに接続されていない状態では、カバーにより収納部が塞がれて、光通信用プラグ挿入孔が閉じられているので、光伝送用部品をスリーブに接続したままでも光が漏洩しないため、安全性を確保することができる。また、保護プレートをボディの前面に被着して、光通信用プラグ挿入孔よりも狭口に形成された挿入孔と収納部を連通させ、挿入孔の縁部に設けたカバー止めを収納部の前端部に位置させてあるため、保護プレートにより、カバーと収納部の内側面との間の隙間を覆うことができる。これにより、カバーと収納部との間の隙間からほこり等が収納部内に侵入してスリーブに付着することを防止することができ、光通信用プラグと光伝送用部品間の伝達の損失を回避することができる。
【０００８】
請求項２の発明では、請求項１記載の光通信用レセプタクルの製造方法において、光通信用プラグ挿入孔、光伝送用部品挿入孔、及びボディの内部空間をそれぞれ連通して形成された収納部に、前記光通信用プラグ挿入孔から板ばねを挿入して前記収納部の前端部の側部に配置し、次に、カバーを、前記板ばねにより前記収納部の前方向に付勢させながら、前記光通信用プラグ挿入孔から前記収納部に挿入して前記収納部の前端角部に配置し、その後に保護プレートを前記ボディの前面に被着して、前記保護プレートのカバー止めを前記収納部の前端部に位置させ、前記カバー止めにより前記カバーを前記収納部から外部へ突出しないように、前記収納部を塞ぐ位置に位置させることを特徴とする光通信用レセプタクルの製造方法とした。
【０００９】
請求項２の発明によれば、弾性体、及びカバーを一方向から収納部に配置して、保護プレートをボディの前面に被着することで請求項１記載の光通信用レセプタクルを得ることができ、これにより、光通信用レセプタクルに必要な部品点数を減らして簡易な構造とすることができ、製造コストの削減を実現できる。
【００１０】
請求項３の発明では、請求項１記載の光通信用レセプタクルの製造方法において、ボディは、前面に保護プレートを一体に備えるとともに、前記ボディの上面前端部に、光通信用プラグ挿入孔、光伝送用部品挿入孔、及びボディの内部空間をそれぞれ連通して形成された収納部に連通する開口部を備えて形成されており、板ばねを前記開口部から前記収納部に挿入して前記収納部の前端部の側部に配置し、カバーを、前記板ばねにより前記収納部の前方向に付勢させながら、前記開口部から前記収納部に挿入して前記収納部の前端角部に配置し、その後に、開口部を閉鎖することを特徴とする光通信用レセプタクルの製造方法とした。
【００１１】
請求項３の発明によれば、保護プレートをボディと一体に形成し、弾性体及びカバーを、ボディに設けた開口部から収納部に配置して、その開口部を天井板で塞ぐことで請求項１記載の光通信用レセプタクルを得ることができ、これにより、光通信用レセプタクルに必要な部品点数を減らして簡易な構造とすることができ、製造コストの削減を実現できる。
【発明の効果】
【００１２】
本発明は、光通信用プラグがスリーブに接続されていない状態では、カバーにより光通信用プラグ挿入孔が閉じられているので、光伝送用部品をスリーブに接続したままでも光が漏洩しないため、安全性を確保することができるとともに、保護プレートをボディの前面に被着して、光通信用プラグ挿入孔よりも狭口に形成された挿入孔と収納部を連通させ、挿入孔の縁部に設けたカバー止めを収納部の前端部に位置させてあるため、保護プレートにより、カバーと収納部の内側面との間の隙間を覆うことができ、これにより、カバーと収納部との間の隙間からほこり等が内部に侵入してスリーブに付着することを防止することができ、光通信用プラグと光伝送用部品間の伝達の損失を回避することができるという効果がある。
【発明を実施するための最良の形態】
【００１３】
（実施形態１）
本実施形態の光通信用レセプタクル（以下、レセプタクルという）１は、図１（ａ）に示すように、略直方体形状のボディ２に設けられた一対の収納部３と、各収納部３の両前端角部に収納部３の前後方向に回転自在に支持されて収納部３を遮光して保護する一対のカバー４と、各収納部３の前端部の両側部に位置して近接するカバー４を収納部３の前方向に付勢する板ばね５と、各収納部３とそれぞれ連通する一対の孔部６ａ、及び各収納部３の前端部に位置して両カバー４を収納部３から外部へ突出しないように、収納部３を塞ぐ位置に位置させるカバー止め７を有してボディ２の前面に被着される保護プレート６と、収納部３の後部に配置されて、一端にＳＣ型の光通信用プラグのフェルールが着脱自在に嵌入され、他端に光通信用プラグ等の光伝送用部品のフェルールが取り付けられるスリーブ８を備えたスリーブ保持部９とから構成されている。
【００１４】
ボディ２は、前面にプラグ挿入孔２ａ及び後面に光伝送用部品挿入孔（図示せず）が開口した中空の略直方体形状を有している。また、プラグ挿入孔２ａ及び前記光伝送用部品挿入孔は、ボディ２の内部空間と連通している。ボディ２は、隔壁２ｂによりその内部空間を左右に分割されている。而して、ボディ２には、プラグ挿入孔２ａ、前記光伝送用部品挿入孔、及びボディ２の左右に分けられた内部空間からなる一対の収納部３が設けられている。この収納部３の両前端角部の底面及び上面には、軸受け部１０ａ、及びボディ２の長手方向に添って形成され、一端がボディ２の前面から外部へ開口し、他端が軸受け部１０ａに連通する溝部１０ｂとからなる支持部１０が形成され、収納部３の底面に形成された支持部１０と収納部３の上面に形成された支持部１０は、対向する各軸受け部１０ａが同軸上に位置するようにしてある。また、支持部１０は、溝部１０ｂが軸受け部１０ａより浅く形成されている。加えて、収納部３の前端部の底面及び上面の両側部からＬ字形のリブ１１が突設されている。リブ１１は、ボディ２の側面に所定の隙間を有して並行する縦辺部１１ａと、ボディ２の前面に並行する横辺部１１ｂ（図２（ａ）参照）とからなり、横辺部１１ｂが収納部３の後端側に位置している。また、リブ１１は、支持部１０より収納部３の後端側に位置している。なお、収納部３の略中央部の底面及び上面には、スリーブ保持部９を係止する係止爪（図示せず）が突設されている。このようにしてボディ２は構成されており、ボディ２は合成樹脂により成形されている。
【００１５】
カバー４は、プラグ挿入孔２ａの略半分を覆う程度の大きさの平板部４ａと、平板部４ａの一端から上下方向に同軸上に突出した軸部４ｂとを一体に備えて合成樹脂により成形されている。このように形成されたカバー４は、軸部４ｂを収納部３に形成した支持部１０の軸受け部１０ａにより、収納部３の前後方向に回動自在に支持される。
【００１６】
板ばね５は、平板状の金属片からなる板部５ａと、板部５ａを一部切り起こして形成された片部５ｂとから構成されている。この板ばね５は、片部５ｂを収納部３の内側へ向けるとともに、板部５ａをリブ１１の縦辺部１１ａと該縦辺部１１ａに近接する収納部３の側部とで狭持して板部５ａの一端をリブ１１の横辺部１１ｂに当接させて収納部３に配置されている。
【００１７】
保護プレート６は、ボディ２の前面とほぼ同じ大きさの直方体形状を有し、長手方向に一対の孔部６ａを並設されている。この孔部６ａは、プラグ挿入孔２ａより狭口、例えば、図２（ｂ）及び図３（ｂ）に示すように、保護プレート６をボディ２の前面に被着した際に収納部３の内周面とカバー４との間の隙間部を覆う程度の大きさ、かつ、光通信用プラグを挿通できる程度の大きさに形成してある。また、保護プレート６の短手方向の各孔部６ａの両縁部には、保護プレート６の厚み方向に突出した略三角形状のカバー止め７を設けてある。カバー止め７は、保護プレート６をボディ２の前面に被着した際に収納部３の前端部に位置して、カバー４を収納部３から外部へ突出しないように、収納部３のプラグ挿入孔２ａを塞ぐ位置に位置させるものである。また、保護プレート６は、ボディ２に被着された際に、ボディ２側の面が板ばね５の他端と当接し、板ばね５をリブ１１の横辺部１１ｂとでがたつくことなく狭持している。このようにして保護プレート６は構成されており、保護プレート６は合成樹脂により成形されている。
【００１８】
スリーブ保持部９は、光通信用プラグに設けたフェルールを一端から嵌入し、光伝送用部品に備えたフェルールを他端から嵌入して互いに位置合わせし、各フェルールの端面に露出する光ファイバの端面同士を互いに整合させるための円筒状のスリーブ８と、スリーブ８を内部に装着した円筒部１２ａを短手方向に貫設された長方形状の保持部１２と、保持部１２の前面の長手方向の両端部から弾性を有して円筒部１２ａに並行して突設され、先端部にスリーブ８側へ突出した係止爪１３ａを有する一対の係止片１３と、保持部１２の後面の長手方向の両端部から弾性を有して円筒部１２ａに並行して突設され、先端部にスリーブ８側へ突出した係止爪１４ａを有する一対の係止片１４とから構成されている。係止片１３は、収納部３のプラグ挿入孔２ａから挿入される光通信用プラグに係止爪１３ａを係止して引掛保持するものであり、また、係止片１４は、収納部３の前記光伝送用部品挿入孔から挿入される光伝送用部品に係止爪１４ａを係止して引掛保持するものである。このような保持部１２、円筒部１２ａ、係止片１３、１４は合成樹脂により一体に形成してあり、保持部１２の長手方向の長さ寸法は、収納部３に嵌合する程度の長さ寸法に形成してある。
【００１９】
以上により本実施形態のレセプタクル１は構成されており、レセプタクル１は次のようにして組立てられる。まず、合成樹脂により上述のように形成したボディ２の収納部３に、スリーブ保持部９ａを係止片１４側からプラグ挿入孔２ａより圧入し、収納部３の前記係止爪により係止して、係止片１３を収納部３の前端側へ向け、係止片１４を収納部３の後端側へ向けて収納部３に配置する。次に、板ばね５を、片部５ｂを収納部３の内側へ向けて、プラグ挿入孔２ａから収納部３に挿入して、板部５ａをリブ１１の縦辺部１１ａと該縦辺部１１ａに近接する収納部３の側部とで狭持して板部５ａの一端をリブ１１の横辺部１１ｂに当接させて収納部３に配置する。次に、カバー４を、板ばね５の片部５ｂにより平板部４が収納部３の前方向に付勢されながら、プラグ挿入孔２ａから収納部３に挿入して、軸部４ｂを収納部３の前端角部の上面及び底面にそれぞれ対向して形成された支持部１０の溝部１０ｂに圧入し、カバー４を収納部３の後端側へ押し進めて軸部４ｂを軸受け部１０ａに嵌入させて収納部３に配置する。この後に、保護プレート６をボディ２の前面に被着して、カバー止め７によりカバー４を図２（ａ）、（ｂ）に示すようにプラグ挿入孔２ａを塞ぐ位置に位置させている。
このようにして、本実施形態のレセプタクル１はカバー４を取り付ける方向から一方向に組立てることができる。本実施形態のレセプタクル１は、収納部３の前記光伝送用部品挿入孔から挿入される光伝送用部品のフェルールをスリーブ８に嵌入するとともに、係止片１４で保持させておき、通常時は、図２（ａ）、（ｂ）に示すように、カバー４を板ばね５により付勢することでプラグ挿入孔２ａを遮蔽してある。この状態では、図２（ｂ）に示すように、カバー４と収納部３の内周面との間の隙間が保護プレート６により完全に被覆されているため、ほこり等がレセプタクル１内に侵入することを完全に防止することができる。そして、光通信用プラグを挿入する際には、該プラグにより図３（ａ）、（ｂ）に示すようにカバー４を押し広げて、プラグ挿入孔２ａから収納部３内に前記プラグを挿入する。そして、前記プラグのフェルールをスリーブ８に嵌入するとともに、前記プラグを係止片１３で保持して、前記プラグと前記光伝送用部品とを接続するものである。
【００２０】
本実施形態によれば、光通信用プラグがスリーブ８に接続されていない状態では、カバー４によりプラグ挿入孔２ａが閉じられているので、光伝送用部品をスリーブ８に接続したままでも光が漏洩しないため、安全性を確保することができる。さらに、収納部３の前端角部にカバー４を設けるとともに、保護プレート６をボディ２の前面に被着して、収納部３のプラグ挿入孔２ａよりも狭口に形成された孔部６ａと収納部３を連通させ、孔部６ａの縁部に設けたカバー止め７を収納部３の前端部に位置させてあるため、保護プレート６により、カバー４と収納部３の内側面との間の隙間を覆い、かつ、保護プレート６に設けたカバー止め７が、ほこりの侵入を防止する土手の役割を果たすことになる。そのため、カバー４と収納部３との間の隙間からほこり等がレセプタクル１内部に侵入してスリーブ８に付着することを防止することができ、光通信用プラグと光伝送用部品間の伝達の損失、すなわち、それぞれに備えられた光ファイバー間の伝達の損失を回避することができる。さらに、上述したように、レセプタクル１をボディ２の収納部３のプラグ挿入孔２ａからスリーブ保持部９、板ばね５、及びカバー４を一方向から、スリーブ保持部９、板ばね５、カバー４の順番に収納部３に配置して、最後に保護プレート６をボディ２の前面に被着して組立てることができる。これにより、レセプタクル１に必要な部品点数を減らして簡易な構造とすることができ、製造コストの削減を実現できる。
（実施形態２）
また、保護プレート６をボディ２に一体に形成してボディ１８とするとともに、ボディ１８の上面前端部に収納部３と連通する開口部１９を形成し、この開口部１９からカバー４、板ばね５を収納部３に配置可能とすることができる。
【００２１】
この場合、ボディ１８は、図４（ａ）に示すように、上述の実施形態１のボディ２の前面に保護プレート６を一体に形成することで、カバー止め７を収納部３の前端部に一体に備えるとともに、ボディ１８の前面が、上述の保護プレート６と同様に、カバー４と収納部３との間の隙間を覆うようになっている。
【００２２】
このようなボディ１８は、前面に光通信用プラグ挿入孔１８ａ及び後面に光伝送用部品挿入孔（図示せず）が開口した中空の略直方体形状を有している。また、プラグ挿入孔１８ａ及び前記光伝送用部品挿入孔は、ボディ１８の内部空間と連通している。ボディ１８は、隔壁１８ｂによりその内部空間を左右に分割されている。而してボディ１８は、プラグ挿入孔１８ａ、前記光伝送用部品挿入孔、及びボディ１８の左右に分けられた内部空間からなる一対の収納部３が設けられている。この収納部３の両前端角部の底面には、カバー４の軸部４ｂを嵌入されてカバー４を収納部３の前後方向に回転自在に支持する軸受け部１６を形成してある。加えて、収納部３の前端部の両側部に、ボディ２の側面に所定の隙間を有して並行する縦辺部１７ａとボディ２の前面に並行する横辺部１７ｂとを有するＬ字形のリブ１７を突設してある。このリブ１７は、横辺部１７ｂを外側に向けて互いに対向するようにして、各側部の上部及び下部に一対ずつ合計４つ設けられている。このように設けられたリブ１７により、板ばね５は収納部３内に配置されることになる。また、いずれのリブ１７も、軸受け部１６より収納部３の後端側に位置している。なお、収納部３の略中央部の底面及び上面には、スリーブ保持部９を係止する係止爪（図示せず）が突設されている。そして、カバー４及び板ばね５を収納部３に配置するために、ボディ１８の上面前端部に開口部１９を設けてあり、開口部１９は、開口部１９とほぼ同じ大きさの平板状の天井板１５が被着される。天井板１５は、開口部１９に被着された際に、収納部３に形成した軸受け部１６と同軸上になる位置に軸受け部１５ａが形成されている。
【００２３】
以上により本実施形態のレセプタクル１は構成されており、レセプタクル１は次のようにして組立てられる。まず、合成樹脂により、上述のように形成したボディ１８の収納部３に、スリーブ保持部９ａを係止片１３側から前記光伝送用部品挿入孔より圧入し、収納部３の係止爪により係止して、係止片１３を収納部３の前端側へ向け、係止片１４を収納部３の後端側へ向けて収納部３に配置する。次に、板ばね５を、片部５ｂを収納部３の内側へ向けながら開口部１９から収納部３に挿入して、板部５ａをリブ１７の縦辺部１７ａとリブ１７に近接する収納部３の側部とで狭持して板部５ａの両端をリブ１７の横辺部１７ｂに当接させて収納部３に配置する。そして、板ばね５の片部５ｂにより平板部４ａが収納部３の前方向に付勢されながら、カバー４を開口部１９より収納部３に挿入して、カバー４の下部の軸部４ｂを収納部３の前端角部に形成した軸受け部１６に支持させて収納部３に配置する。この後に、天井板１５をボディ１８の開口部１９に被着して、天井板１５の軸受け部１５ａでカバー４の上部の軸部４ｂ支持させる。
【００２４】
このようにして本実施形態のレセプタクル１は、ボディ１８の上方向から一方向に組立てることができる。本実施形態のレセプタクル１は、ボディ１８の前面部の構造を、ボディ２と保護カバー６を一体に形成した形状としてあるので、上述の実施形態１と同様に、カバー４と収納部３の内周面との間の隙間が完全に被覆されており、ほこり等がレセプタクル１内に侵入することを完全に防止することができる。
【００２５】
本実施形態によれば、ボディ１８は、前面に保護プレート６を一体に備えるとともに、上面前端部に、収納部３と連通する開口部１９を備えて形成されているので、上述の実施形態１と同様に、カバー４と収納部３の内側面との間の隙間を覆うことができる。これにより、カバー４と収納部３との間の隙間からほこり等がレセプタクル１内部に侵入してスリーブ８に付着することを防止することができ、光通信用プラグと光伝送用部品間の伝達の損失を回避することができる。さらに、ボディ２の開口部１９から、板ばね５、及びカバー４を収納部３に配置して、レセプタクル１を得ることができるため、レセプタクル１に必要な部品点数を減らして簡易な構造とすることができ、製造コストの削減を実現できる。
【００２６】
なお、本実施形態及び上述の実施形態１は、ＳＣ型の光通信用プラグに限られるものではなく、用途に応じてさまざまな光通信用プラグに適応するようにしても本発明の主旨を逸脱することなく実施できる。加えて、カバー４の枚数も２枚に限られるものではなく、一枚のカバー４により収納部３を遮蔽する構成としてもよい。
【図面の簡単な説明】
【００２７】
【図１】（ａ）は、本発明の実施形態１のレセプタクルの分解斜視図であり、（ｂ）は、同上のレセプタクルの斜視図である。
【図２】（ａ）は、同上のレセプタクルのカバーが閉じている場合の収納部の前端部を示す概略説明図であり、（ｂ）は、同上のレセプタクルの正面図である。
【図３】（ａ）は、同上のレセプタクルのカバーが開いている場合の収納部の前端部を示す概略説明図であり、（ｂ）は、同上のレセプタクルの正面図である。
【図４】（ａ）は、本発明の実施形態２のレセプタクルの分解斜視図であり、（ｂ）は、同上のレセプタクルの斜視図である。
【符号の説明】
【００２８】
１    レセプタクル
２    ボディ
２ａ  プラグ挿入孔
２ｂ  隔壁
３    収納部
４    カバー
４ａ  平板部
４ｂ  軸部
５    板ばね
５ａ  板部
５ｂ  片部
６    保護プレート
６ａ  孔部
７    カバー止め
８    スリーブ
９    スリーブ保持部
１０    支持部
１０ａ  軸受け部
１０ｂ  溝部
１１    リブ
１１ａ  縦辺部
１１ｂ  横辺部
１２    保持部
１２ａ  円筒部
１３、１４  係止片
１３ａ、１４ａ  係止爪
【図１】
2005221669.tif 000003
【図２】
2005221669.tif 000004
【図３】
2005221669.tif 000005
【図４】
2005221669.tif 000006